(57)【要約】  蛇口１等に装着される取付カバー２と、該取付カバー２に内装した一つ以上の吐水孔６２を有する節水コマ６と、前記蛇口１等と取付カバー２との間の水漏れを防止するための水密用パッキン３と、を備えた節水器具において、前記取付カバー２と前記節水コマ６との間に、蛇口１等の吐水手段から供給される水の方向を強制的に変更して水圧を低減する流路変更孔４２を形成した減圧コマ４を配設して成る。
2009044703.tif 000002
【特許請求の範囲】
【請求項１】
蛇口等の給水口に装着される節水器具であって、
通水孔を有する圧力制御手段と、該圧力制御手段の下流に設けられ且つ吐水孔を有する吐水手段とを備え、上記給水口から供給される水は、上記圧力制御手段の上流側に比し下流側の水圧が低くなるように、上記圧力制御手段の通水孔を通じて減圧制御され、該減圧された水が上記吐水孔から吐出されるように構成されたことを特徴とする節水器具。
【請求項２】
前記圧力制御手段は、前記給水口から供給される水の圧力を、当該節水器具内において調節する圧力調節手段を含むものであることを特徴とする請求項１に記載の節水器具。
【請求項３】
前記圧力調節手段は、前記圧力制御手段の下流側中央に略円錐状に形成される前記通水孔と、前記吐水手段の上流側に突設され且つ前記通水孔内に臨む調節部とから構成され、外部からの操作で、上記調節部を上記通水孔に対して接近または離間させることによって、上記通水孔の水が通過可能な間隙の開口面積が変化され、該通水孔内の水圧を調節するように構成されることを特徴とする請求項２に記載の節水器具。
【請求項４】
前記圧力調節手段は、前記圧力制御手段の下流側中央に略円錐状に形成される前記通水孔と、前記吐水手段の中央に上流側端面から下流側端面に亘って貫通して形成された調節体装着穴に装着される調節体とから構成され、上記調節体は、前記通水孔内に臨む調節部を有し、外部からの操作で、上記調節部を前記通水孔に対して進退させることによって、前記通水孔を水が通過可能な間隙の開口面積が変化され、前記通水孔内の水圧を調節するように構成されることを特徴とする請求項２に記載の節水器具。
【請求項５】
前記圧力制御手段は、前記給水口に装着される取付カバー内に設けられた減圧コマを備え、前記通水孔は、給水口から噴出される水の方向を変更するように減圧コマに形成された流路変更孔から成ることを特徴とする請求項１乃至４の何れか一つに記載の節水器具。
【請求項６】
前記圧力制御手段は、水が透過し得る多孔質体を備え、この多孔質の孔が前記通水孔を構成するものであることを特徴とする請求項１乃至５の何れか一つに記載の節水器具。
【請求項７】
前記圧力制御手段は、表裏に貫穿された多数の通水孔を有する弾力的に伸縮するフィルタ状の部材を備えることを特徴とすることを特徴とする請求項１乃至６の何れか一つに記載の節水器具。
【請求項８】
前記吐水手段の下流側端面は、凹面状又は凸面状に形成されることを特徴とする請求項１乃至７の何れか一つに記載の節水器具。
【請求項９】
前記吐水手段は、下流側端面に円環状乃至波円環状に形成された吐水孔を有することを特徴とする請求項１乃至８の何れか一つに記載の節水器具。
【請求項１０】
蛇口等の給水口に装着される取付カバーと、前記給水口と前記取付カバーとの間の水漏れを防止するための水密用パッキンと、上記取付カバーに内装される一つ以上の通水孔を有する減圧コマと、上記取付カバーに内装した一つ以上の吐水孔を有する節水コマと、を備え、前記通水孔が、前記取付カバー内に流入した前記給水口から供給された水の流動方向を強制的に変更するものであり、この強制的な流路変更によって水圧を低減するように構成されることを特徴とする節水器具。
【請求項１１】
前記減圧コマは、前記節水コマの上流側にパッキンを介して間隔をあけて配設されることを特徴とする請求項１０に記載の節水器具。
【請求項１２】
前記節水コマの中央適所には、流路変更を強制的に行う前記通水孔から通出される減圧水が、直接当たって緩衝される緩衝部を形成すると共に、この緩衝部の周囲に吐水孔が形成され、前記緩衝部に当たった緩衝水が吐水孔を通じて吐出されるように構成されることを特徴とする請求項１０又は１１に記載の節水器具。
【請求項１３】
前記吐水孔は前記緩衝部の外周部に同心円状に一列乃至複数列設けられることを特徴とする請求項１２に記載の節水器具。
【発明の詳細な説明】
【技術分野】
【０００１】
本発明は、自在水栓、混合栓又は自動水栓等、水を吐出する蛇口（以下、単に「蛇口」と呼ぶ。）に取り付けて、節水効果が得られるだけでなく、手や身体に対して柔らかな感触の水を吐水可能な節水器具に関する。
【背景技術】
【０００２】
従来より、給水栓の使用感を変えることなく、水の吐出量を抑制して節水可能な節水器具が知られており、例えば、前記節水器具としては、水を吐出する蛇口等に装着される取付カバーと、前記蛇口等と取付カバーとの間に水漏れを防止するための水密用パッキンとを備えて成り、前記取付カバー内に、一つ以上の通水孔を開設した円柱状の節水コマを内装したものが提案されている（例えば、特許文献１参照）。
【特許文献１】特開平９−９５９８５号
【発明の開示】
【発明が解決しようとする課題】
【０００３】
この節水器具は、水を吐出する蛇口に取り付けるだけで、当該蛇口から噴出される水の吐量を、従来同様の給水栓の開閉操作で、節水コマに開設した通水孔によって抑制して、節水できるという点では好ましいものであった。【０００４】
しかしながら、前記節水コマの通水孔から吐出された水は給水栓で抑制して節水できる反面、給水栓の調整が微妙で操作がむずかしく、吐出される水の勢い（水圧）が強いため、使用者の肌に当たった水が、飛散して周囲を汚損したり、衣服の袖口部を濡らすなどの弊害が発生する。しかも、乳幼児や女性等のような皮膚の柔らかい使用者にとっては、勢いの強い水は、皮膚に対する刺激が強すぎるという問題があった。【０００５】
もっとも、水の勢い（水圧）を抑制するには、止水栓を操作すれば良いのであるが、これでは給水制限期間の場合には止水栓を全開にしたり、その期間外では止水栓を絞るなど、その操作が煩わしくなる。しかもこの場合、給水栓の使用感を変えることなく、その吐水量を抑制して、節水するという節水コマ本来の目的及び作用、効果を得ることができない。【０００６】
更に、蛇口等から噴出される水量及び水圧は、立地条件や建物の階などの諸条件等や給水状態によって必ずしも一定ではなく、給水は一定量又は一定圧で噴出されていないため、節水コマの通水孔から吐出される水を一定量又は一定圧にすることは困難であった。【０００７】
本発明は、かかる課題を解決することを目的とするものであって、止水栓の操作を行うことなく、使用感を向上させること、即ち、止水栓を一々調節することなく、その吐水量を抑制して節水できると共に、水量及び水圧を抑制して、給水状態の水量や水圧の変動に影響されることなく安定して吐水でき、しかも、使用者に優しい感触の吐水を与えることができる節水器具を提供するものである。
【課題を解決するための手段】
【０００８】
前記課題を解決するために、本発明の節水器具は、給水口に対して着脱自在に装着可能で、圧力制御手段と、この圧力制御手段の下流に設けられる吐水孔を有する吐水手段とを備え、給水栓まで適宜の圧力で供給される水が、前記圧力制御手段を通じて適宜の水圧に制御され、この制御された水が上記吐水孔から適宜の水量及び吐出形態で吐出されるように構成する。【０００９】
圧力制御手段とは、一次水圧で供給される給水が蛇口先端の給水口内部から節水器具を通過する過程において、自動的に水圧低減させ、圧力を制御するための手段である。即ち、圧力制御手段は、節水器具の内部において一次水圧を低減するための一つ以上の通水孔を有し、通水孔を通過しなければ下流側に移行できないように構成される。具体的な圧力制御手段としては、給水の流れの向きを強制的に変更して減圧する流路変更路を有するもの、或いは、多孔質から成るもの、或いは、一つ以上の通水孔を有するゴム状のシート材から成るもの等を採用することができる。【００１０】
吐水手段は、圧力制御手段側から外部側に連通して一つ以上形成される吐水孔を有するものであり、吐水孔は、円柱状、多角柱状、円筒状等の適宜の孔形態とすることも可能である。吐水手段の外気に触れる側の面、即ち下流側端面を凹面又は凸面とするのが好ましい。【００１１】
本発明の節水器具は、好ましくは、段階的または無段階的に水圧を調節する圧力調節手段を有する。【００１２】
圧力調節手段は、節水器具を分解せずとも外部から簡便に水圧や水量を調節して放水の勢いや量、速さ等を設定することができるように構成される。【００１３】
本発明の節水器具においては、圧力制御手段より上流側の一次的な水圧が、通水孔によって所定水圧に低減され（以下、減圧水という。）、圧力制御手段の下流側に二次的な水圧を作出し、この二次的な水圧によって吐水孔から水を放出する。【００１４】
従って、元栓や止水栓を操作せずども給水口先端部分にて、水圧や放水量を制御することができる。
【発明の効果】
【００１５】
本発明に係る節水器具によれば、圧力制御手段と吐水手段との間で、自動的に適宜の二次的な水圧が作出され、この二次水圧によって吐水手段に形成された吐水孔から適宜の吐水形態の放水を、大きな節水効果を以て得ることができる。【００１６】
そのため、本発明の節水器具を通じて吐出される水（以下、緩衝水という。）は、直接肌に当たっても優しいうえ、見た目も綺麗であり、特に、乳幼児や女性等のような皮膚の柔らかい使用者にとっては、皮膚に対する刺激を極力抑えることができるなどの効果を奏する。
【図面の簡単な説明】
【００１７】
【図１】本発明に係る節水器具の一実施の形態を示す分解斜視図である。
【図２】図１に示すの節水器具の分解縦断面図である。
【図３】図１及び図２で示した本発明の節水器具を蛇口等に取付けた状態を示す使用状態の拡大断面図である。
【図４】本発明に係る節水器具の他実施の形態を示す分解縦断面図である。
【図５】（ａ）は吐出手段の底面図、（ｂ）は図４に示す節水器具の縦断面図である。
【図６】本発明に係る節水器具の他実施の形態を示す分解縦断面図である。
【図７】（ａ）は図６に示す節水器具の縦断面図、（ｂ）は吐出手段の底面図である。
【図８】本発明に係る節水器具の他実施の形態を示す分解縦断面図である。
【図９】図６に示す節水器具の縦断面図である。
【図１０】本発明に係る節水器具の他実施の形態を示す分解縦断面図である。
【図１１】（ａ）は図１０に示す節水器具の縦断面図、（ｂ）は吐出手段の底面図である。
【図１２】本発明に係る節水器具の他実施の形態を示す分解縦断面図である。
【図１３】（ａ）は水圧が作用する以前の節水器具の縦断面図、（ｂ）は水圧が作用した状態の節水器具の縦断面図である。
【図１４】（ａ）は本発明に係る節水器具の他実施の形態を示す縦断面図、（ｂ）は吐出手段の底面図である。
【図１５】（ａ）は本発明に係る節水器具の他実施の形態を示す縦断面図、（ｂ）は吐出手段の平面図、（ｃ）は吐出手段の底面図である。
【図１６】（ａ）は本発明に係る節水器具の他実施の形態を示す縦断面図、（ｂ）は吐出手段の平面図、（ｃ）は吐出手段の底面図である。
【図１７】（ａ）は本発明に係る節水器具の他実施の形態を示す縦断面図、（ｂ）は吐出手段の要部断面図である。
【図１８】（ａ）は本発明に係る節水器具の他実施の形態を示す縦断面図、（ｂ）は吐出手段の要部断面図である。
【図１９】（ａ）は本発明に係る節水器具の他実施の形態を示す縦断面図、（ｂ）は吐出手段の要部断面図である。
【図２０】本発明に係る節水器具の他実施の形態を示す縦断面図である。
【図２１】本発明に係る節水器具の他実施の形態を示す縦断面図である。
【符号の説明】
【００１８】
Ａ          節水器具
１          蛇口
１１        ネジ部
２          取付カバー
２１        ネジ溝
２２        係止段部
２３        螺旋溝
２５        段差部
３          水密用パッキン
４          減圧コマ（圧力制御手段）
４１        基板
４２        流路変更孔（通水孔）
４２ａ      第一通水孔
４２ｂ      第二通水孔
４３        凸部
４５        通水孔
４Ａ        多孔体
５          スペーサーパッキン
６          節水コマ（吐出手段）
６１        鍔
６２        吐水孔
６２ａ      円環状通水孔部
６２ｂ      円弧周状通水孔部
６２ｃ      波円環状通水孔部
６２ｄ      波円弧周状通水孔部
６３        緩衝部
６４        外端面
６５        調節部
６６        ネジ部
６７        工具係合用凹部
６８        螺設孔
６８ａ      螺旋溝
６９        連結部
６９ａ      連結部
７          調節体
７１        ネジ部
７２        調節部
７３        工具係合用凹部
７４        パッキン
８          単孔性通水孔部
８０        フランジ部
８１        通水孔
８１ａ      上端開口
８２        通水孔
８３        上流側端面
８４        円形凹部
８Ａ        単孔性通水孔部
９          多孔体（多孔性通水孔部）
９Ａ        多孔性通水孔部
９Ｂ        通水孔
【発明を実施するための最良の形態】
【００１９】
以下、本発明に係る節水器具を実施態様図面に基づいて詳細に説明するが、本発明はこれに限定されるものではない。【００２０】
図１は、本実施の形態に係る節水器具Ａの一実施態様を示す分解斜視図であり、図２は、図１の縦断面図である。【００２１】
ここで、各図において、共通する部材には、同一の符号を付し、重複する説明は省略する。【００２２】
節水器具Ａは、水を噴出する蛇口１等の先端の給水口に装着可能で、且つ上下開口する円筒状の取付カバー２と、該取付カバー２に内装され且つ、一つ以上の吐水孔６２を備えた吐出手段としての節水コマ６と、これら蛇口１と取付カバー２との間に水漏れを防止するための水密用パッキン３とを備えている。【００２３】
更に、取付カバー２内には、蛇口１から噴出される水の方向を変更する流路変更孔４２を形成した圧力制御手段としての減圧コマ４が設けられている。この減圧コマ４は、節水コマ６の上流側にスペーサーパッキン５を介して間隔をあけて設けられている。【００２４】
以下、各部材について詳説する。【００２５】
蛇口１の先端部には、ネジ部１１が形成されており、また取付カバー２の上端部内壁には、ネジ部１１に螺合可能な取付手段としての筒状部の内周にネジ溝２１が形成されている。【００２６】
また、蛇口１の先端部にネジ部１１が形成されていない場合には、取付カバー２の上端部側壁に貫通したネジ孔（図示省略）を開設しておき、このネジ孔（図示省略）に向けて外側から取付ネジ（図示省略）を螺入して蛇口１の先端部外壁に押圧すれば、取付カバー２を蛇口１の先端部に取り付けることができる。【００２７】
なお、本実施態様の取付カバー２は、円筒状に形成されているが、その形状は特に限定されるものではなく、蛇口１等のデザインに応じて適宜形成することができる。【００２８】
水密用パッキン３は、蛇口１の口径と同口径のゴムリングから成る。この水密用パッキン３は減圧コマ４上に載置され、取付カバー２のネジ溝２１を蛇口１のネジ部１１に螺合することにより、ゴムリング３が基板４１と蛇口１の間に圧接して介在され、隙間からの水漏れを防止している。【００２９】
なお、水密用パッキン３は、蛇口１と取付カバー２との隙間からの水漏れ防止を行えば良いので、この水密用パッキン３に代えてシーリング材を充填したり、水密用テープを巻着することも有効である。【００３０】
更に、取付カバー２の内側壁適所には、節水コマ６の上端に形成された鍔６１が係止可能な係止段部２２を形成しており、この取付カバー２内には、減圧コマ４と節水コマ６とが、スペーサーパッキン５で間隔Ｋ（図３参照）を設けた状態で配設されている。【００３１】
減圧コマ４は、円板状の基板４１と、当該基板４１よりも小径であって、且つ、基板４１の中央から上方に向けて突出させた凸部４３とから構成されている。そして、フランジ状に径外方向に突出する基板４１と、蛇口１の先端との間に、水密用パッキン３が介在されている。【００３２】
また、前記基板４１の直径は、取付カバー２に内接される程度に前記取付カバーの種々の内径に対応して形成されるため特に限定されるものではなく、前記円柱状の凸部４３の直径及び高さについても、前記取付カバー２の種々の内径に対応して形成されるため特に限定されるものではない。【００３３】
凸部４３の側面から基板４１の中央に貫通するように通水孔としての流路変更孔４２が形成されている。この流路変更孔４２は、一端を単孔に形成すると共に、他端が複数の孔に分岐されて連通して成る。本実施態様の流路変更孔４２は、凸部４３の側面から内部に向けて放射状で且つ等間隔に形成された水平方向の第一通水孔４２ａと、これら複数の第一通水孔４２ａが中央内部で合流する一つの第二通水孔４２ｂとから成る。第二通水孔４２ｂは、基板４１の中央に連通している。【００３４】
第一通水孔４２ａの分岐させる数は、減圧する程度に応じて適宜選択できるが、少なくとも２以上に分岐されていれば良く、好ましくは、四方向に等間隔で分岐させるなど、偶数方向で等間隔に分岐させ、相対向する向きの水流が互いに衝合し減圧させるのが好ましい。【００３５】
流路変更路４２の大きさは、蛇口１等から噴出される水の節水量及び減圧量に影響するため、目的に応じた大きさの孔径を適宜選択すればよいが、一般には、１〜５ｍｍの範囲、特に、１．５〜３．２ｍｍの範囲とするのが好ましい。【００３６】
更に、減圧コマ４の材質としては、耐食性の材料で形成されたものであれば特に限定されるものではない。具体的には、例えばステンレスや真鍮、銅、銀、金等の耐食性の金属材料、スチレンーブタジエンゴムやエラストマ等の合成ゴムやポリ塩化ビニル、ポリエステル又はポリプロピレン等の合成樹脂、セラミックス等の単体乃至複合体が挙げられる。【００３７】
スペーサーパッキン５は、減圧コマ４の基板４１と同径のリング状に形成し、このスペーサーパッキン５を減圧コマ４と節水コマ６の間に介在することで、両者間の間隔Ｋを保持している。【００３８】
節水コマ６は、取付カバー２に内嵌される中実の円柱状に形成され、その中央部には、流路変更孔４２から通出される水が直接当たる緩衝部６３が形成されている。【００３９】
図１及び図２で示した実施態様の緩衝部６３は、節水コマ６の中央に、上下方向の貫通孔が開設されていない塞がれた部位を形成することで、この緩衝部６３から吐水されないようにしたものを例示している。【００４０】
この緩衝部６３の周囲には、上下に貫通する吐水孔６２が複数形成されており、この吐水孔６２を通じて、緩衝部６３に当たって緩衝された緩衝水が吐水される。具体的には、緩衝部６３の外周部に、所定の間隔を隔てた吐水孔６２が、節水コマ６の同心円状で且つ直径方向に２重に形成されたものを示しているが、この吐水孔６２の数や径は、吐出される緩衝水の吐水量に応じて適宜増減される。【００４１】
このような同心円状に吐水孔６２を形成することで、所望の吐水量を得ることができるうえ、吐水孔６２から吐水される緩衝水を均一に吐出できるのである。【００４２】
節水コマ６の形状としては特に限定されるものではないが、一般に、上下の厚さが２〜１５ｍｍの範囲、特に、３〜１０ｍｍの範囲とするのが好ましく、最も好ましくは５〜７ｍｍの範囲とするのが望ましい。また、節水コマ６の材質としては耐食性の材料で形成されたものであれば特に限定されるものではなく、具体的には、例えばステンレスや真鍮、銅、銀、金等の耐食性の金属材料、スチレンーブタジエンゴムやエラストマ等の合成ゴムやポリ塩化ビニル、ポリエステル又はポリプロピレン等の合成樹脂、セラミックス等の単体乃至複合体が挙げられる。【００４３】
また、吐水孔６２の大きさとしては、一般に、０．１〜２ｍｍの範囲、特に、０．６〜１．２ｍｍの範囲とするのが好ましい。吐水孔６２の径や数についても、節水コマの径や厚み、蛇口の大きさ等を考慮したうえで最適に形成すれば良いのであり、又、少なくとも一つ以上の吐水孔６２を形成すれば良い。【００４４】
具体的には、節水コマ６の中央適所には、水道管（図示省略）から供給された水が直接当たる緩衝部６３を形成しているので、吐水孔６２は、前記緩衝部６３の周囲に複数形成すれば良く、例えば、前記節水コマ６が、円柱状のものである場合には、その中央部に緩衝部６３を設けると共に、この緩衝部６３の外周部に同心円状に、一つ又は複数の吐水孔６２を間隔をあけて一列乃至三列程度形成すれば良いのである。【００４５】
このように構成された本発明の節水器具Ａは、以下のように作用する。【００４６】
図１及び図２で示した本発明の節水器具Ａを蛇口１等に取付けた状態を示す使用状態の拡大断面図である図３を参照して、先ず、蛇口１等から噴出された水は、減圧コマ４の凸部４３上面に直接当たって、水の方向が一旦変更されると共に、その水流或いは水圧が減少される。水圧が減少された水は、この凸部４３の側面に開設された複数の流路変更孔４２を通じて、更に、水の方向を変更して、基板４１の中央から下方に向けて減圧した水を通出する。【００４７】
次に、流路変更孔４３から通出された減圧水は、節水コマ６の緩衝部６３に直接当たって水の方向が変更されて緩衝されると共に、その水流或いは水圧を再度減少し、スペーサーパッキン５で形成した節水コマ６と減圧コマ４との間隙Ｋに一旦滞留されて、前記減圧水の水圧が一定に保持される。【００４８】
そして、この確実に減圧された緩衝水が、節水コマ６の吐水孔６２を通じて外部に吐出されるのである。【００４９】
以上のように、本実施の形態の節水器具Ａは、給水栓（図示省略）の使用感、即ち、給水栓を一々調節することなく、その吐水量を抑制して節水できると共に、蛇口１等から噴出される勢いのある水を、減圧コマによって減圧したうえで吐水できる。【００５０】
そのため、かかる節水コマ装置を通じて吐出される緩衝水は、直接肌に当たっても優しいうえ、見た目も綺麗であり、特に、乳幼児や女性等のような皮膚の柔らかい使用者にとっては、皮膚に対する刺激を極力抑えることができるなどの効果を奏する。【００５１】
また、減圧コマ４は、節水コマ６の上流側にパッキン３を介して間隔をあけて設けているため、減圧コマ４で減圧された減圧水が前記間隔Ｋに一旦滞留して、該減圧水の水圧が一定に保持される。そのため、下流側の節水コマ６には、蛇口１等の水圧の変化に関係なく、一定の水圧の減圧水が供給されるので、前記節水コマ６から外部に吐出される緩衝水も一定の水圧で安定して吐出することができ、使用者に対する刺激を更に抑え、より優しい感触の緩衝水を与えることができる。【００５２】
更に、流路変更孔４２は、一端を単孔に形成すると共に、中間を分岐させて他端が複数の孔に形成しているので、給水栓の使用感を変えることなく、蛇口１等から噴出される水圧を自動的に減圧して調整できる。【００５３】
また、節水コマ６の中央適所に、流路変更孔４２から通出された低圧の水が直接当たる塞がれた緩衝部６３を形成しているので、前記流路変更孔４２から通出された低圧の水が緩衝部６３に当たり、吐水孔６２を通じて外部に吐出される。そのため、節水器具Ａをトイレ等（図示省略）の自動水栓や手動混合栓等の蛇口１に装着すれば、吐出される緩衝水が飛散せず、貯水層の周囲を汚損することなく、スムーズに貯水槽等（図示省略）に給水できる。【００５４】
更に、本実施の形態に係る節水器具Ａによれば、吐水孔６２は、複数形成され、緩衝部６３の外周部に同心円状に１又は複数形成されているので、所望の吐水量を得ることができるうえ、吐水孔６２から均一に緩衝水を吐出できるなどの効果を奏するのである。【００５５】
なお、本実施態様の節水器具Ａでは、減圧コマ４の凸部４３を上方に突設した場合を例示したが、上下反転させて減圧コマ４の凸部４３を下方に向けて突設して取付けることも可能である。【００５６】
本発明は、前記実施の形態に限定されるものではない。以下に、他の実施の形態について説明する。なお、前記実施の形態と同一部材に相当する部材は、同一符号を付してそれぞれの説明は省略する。【００５７】
図４および図５に示す実施態様の節水器具Ａは、取付カバー２と、減圧コマ４と、節水コマ６と、水密用パッキン３と、スペーサーパッキン５とを備えている。【００５８】
減圧コマ４は、複数の第一通水孔４２ａが中央内部で合流する通水孔４５が設けられている。この通水孔４５は、下流側から上流側に向けて小径と成る略円錐形に形成されている。【００５９】
節水コマ６の上流側中央には、略円錐形の調節部６５が凸設され、この調節部６５を中心にして吐水孔６２が節水コマ６の周方向に形成されている。また、節水コマ６の外周面には、ネジ部６６が形成され、このネジ部６６が取付カバー２の内周面下部に形成された取付手段としての螺旋溝２３に着脱自在に螺合されている。【００６０】
従って、節水コマ６の調節部６５が減圧コマ４の通水孔４５内に臨んでおり、調節部６５と通水孔４５との間隙により、円錐状で且つ環状の第二通水孔４２ｂが形成されている。なお、減圧コマ４と節水コマ６とで圧力制御手段が構成され、減圧コマ４の通水孔４５と節水コマ６の調節部６５とで圧力調節が成されるように成っている。【００６１】
節水コマ６の下流側端面（下面）には、図示省略のプラスドライバやマイナスドライバ等の工具が係合する工具係合用凹部６７が形成されている。なお、この工具係合用凹部６７は、いたずら防止を目的として、専用工具に対応した係合構造としてもよい。【００６２】
上記説明のように、本実施態様の節水器具Ａは、工具係合用凹部６７に係合した工具により、節水コマ６を回転させると、調節部６５を通水孔４５周面に接近させたり、離間させることができるように構成されている。【００６３】
かかる節水器具Ａは、工具の操作によって、節水コマ６を回転させ、第二通水孔４２ｂの開口面積を変更することにより、減圧コマ４の下流側の圧力、即ち二次圧力を調節することができる。即ち、かかる節水器具Ａは、外部からの操作によって、圧力調節手段の圧力調節を行うことができる。【００６４】
図６および図７に示す本実施の形態に係る節水器具Ａは、取付カバー２と、減圧コマ４と、節水コマ６と、水密用パッキン３と、スペーサーパッキン５と、調節体７とを備えている。【００６５】
減圧コマ４は、前記の図４および図５に示した構成のものが採用され、複数の第一通水孔４２ａと通水孔４５とが設けられている。【００６６】
節水コマ６の中央には、この節水コマ６を貫通する調節体装着孔としての螺設孔６８が形成されている。この螺設孔６８内周面上部に螺旋溝６８ａが形成され、この螺旋溝６８ａに、小ネジ状体から成る調節体７のネジ部７１が進退自在に螺合されている。調節体７上部の先端は、前記通水孔４５内に臨む略円錐形の調節部７２が設けられている。【００６７】
また、調節体７下面（外部側の端面）には、工具係合用凹部７３が形成され、調節体７を回転させて、調節部７２を通水孔４５周面に接近させたり、離間させることができるように構成されている。【００６８】
なお、本実施態様の節水器具Ａにおいては、減圧コマ４と調節体７とで圧力制御手段が構成され、減圧コマ４の通水孔４５と調節体７の調節部７２とにより圧力調節が成されるように成っている。【００６９】
螺設孔６８の内周面と、調節体７の外周面とにおける非ネジ部には、水密性を得るための水密加工が成されるか或いはパッキン７４が配設されている。【００７０】
かかる節水器具Ａは、工具を用いた外部からの操作によって調節体７を回転させて進退させることにより、圧力制御手段の下流側の圧力、即ち、減圧コマ４と節水コマ６間を流れる水の二次圧力を調節することができる。かかる節水器具Ａは、小ネジ状体から成る調節体７を回転させるため、前記実施の形態より小さな外部からの操作によって、圧力調節を行うことができる。【００７１】
図８および図９に示す節水器具Ａは、取付カバー２と、圧力制御手段としての多孔体４Ａと、節水コマ６と、パッキン３とを備えている。【００７２】
多孔体４Ａは連続気泡多孔質のセラミクス製の略円盤状の多孔体から構成されている。多孔体４Ａの微細な多孔は前記実施態様の節水器具Ａの通水孔４２の機能を有する。なお、本実施態様の節水器具Ａにおいては、圧力調節手段は設けられていない。【００７３】
このように、圧力制御手段として、多孔体４Ａを採用することによって、効果的に水圧を低減することができる。また、多孔体４Ａによって、水中の異物や不純物を除去するフィルタリング効果を得ることができる。【００７４】
図１０および図１１に示す節水器具Ａは、取付カバー２と、多孔性通水孔部９と、単孔性通水孔部８と、節水コマ６と、調節体７とを備えている。【００７５】
多孔性通水孔部９は、連続気泡多孔質のセラミクス製の略円盤状の多孔体から成る。【００７６】
単孔性通水孔部８は、多孔性通水孔部９の下部に一体的に配設されて多孔性通水孔部９を保持している。単孔性通水孔部８の外周部には、大径のフランジ部８０が設けられ、このランジ部８０が取付カバー２の内周面に設けられた段差部２５に、上方から係合している。【００７７】
また、単孔性通水孔部８は、その下流側端面中央に略円錐形の通水孔８１が形成されている。この通水孔８１の上端開口８１ａは、多孔性通水孔部９の多孔に連通している。単孔性通水孔部８の外周面は、取付カバー２の内周面との間で水密性を有している。【００７８】
節水コマ６の中央には、この節水コマ６を貫通する上下方向の螺設孔６８が形成されている。この螺設孔６８内周面上部に形成された螺旋溝６８ａに、調節体７のネジ部７１が螺合されている。そして、調節部７２が通水孔８１内に臨んでおり、調節部７２と通水孔８１との間で、円錐状で且つ環状の第二通水孔４２ｂが形成されている。【００７９】
なお、本実施態様の節水器具Ａにおいては、多孔性通水孔部９と単孔性通水孔部８と調節体７とにより、圧力調節手段が構成され、単孔性通水孔部８の通水孔８１と調節体７の調節部７２とで圧力調節が成されるように成っている。【００８０】
圧力制御手段の一部として、多孔性通水孔部９を用いることによって、効果的に水圧を低減することができるとともに、水中の異物や不純物を除去するフィルタリング効果を得ることができる。【００８１】
また、工具を用いた外部からの操作によって、より小さな力で調節体７を回転させて、二次圧力を調節することができる。【００８２】
図１２および図１３に示す節水器具Ａは、取付カバー２と、多孔性通水孔部９Ａと、単孔性通水孔部８Ａと、節水コマ６と、調節体７とを備えている。【００８３】
多孔性通水孔部９Ａは、多数の通水孔９Ｂが貫穿され且つシリコン系樹脂やエラストマ系樹脂或いはゴム系樹脂等から成るフィルタ状のシート体である。多孔性通水孔部９Ａは伸縮性を有し応力変形（弾力的に伸縮）するように断面形状が波形状に形成されている。また、多孔性通水孔部９Ａの縁部は、単孔性通水孔部８Ａの小径に形成された上部に固定されている。【００８４】
単孔性通水孔部８Ａは、多孔性通水孔部８Ａの下部に一体的に配設されている。単孔性通水孔部８Ａは、上流側が略湾状に形成され、また、下流側端面中央に略円錐形の通水孔８２が形成されている。この通水孔８２は、略湾状に形成された上流側端面８３と、下流側端面に形成された円形凹部８４とに連通している。【００８５】
多孔性通水孔部９Ａは、一定以上の水圧が作用すると下流側に向かって膨らむように伸びて水圧を低減させる（図１３（ｂ）参照）。【００８６】
節水コマ６には、前記螺旋溝６８ａを有する螺設孔６８が設けられている。そして、この螺設孔６８に前記調節体７が進退自在に螺合されている。【００８７】
なお、多孔性通水孔部９Ａと単孔性通水孔部８Ａと調節体７とにより、圧力制御手段が構成され、単孔性通水孔部８Ａの通水孔８２と調節体７とから圧力調節が成されるように成っている。【００８８】
かかる節水器具Ａは、水圧に応じて弾力的に伸縮する多孔性通水孔部８Ａによって、水圧を自動的にほぼ一定に制御できる。【００８９】
図１４〜図２０に示す節水器具Ａは、節水コマ６の吐水孔６２に特徴を有するものである。なお、節水器具Ａとして取付カバー２と、水密用パッキン３と、減圧コマ４と、スペーサーパッキン５と、節水コマ６とを備えたものを例示する。【００９０】
図１４（ａ）および（ｂ）に示す節水器具Ａにおける節水コマ６に貫穿される個々の吐水孔６２は、その節水コマ６下流側端面の形状や横断面形状が、略星形状に貫穿されている。【００９１】
このように、吐水孔６２の形状を略星形に形成することにより、各吐水孔６２から吐出する水が整流作用を受け、周囲に飛散したり、曲がって飛んだりせず、真っ直ぐに放水される。【００９２】
図１５（ａ）〜（ｃ）に示す節水器具Ａにおける節水コマ６の内端面（上流側端面）は、吐水孔６２が連結部６９を有して構成される。即ち、吐水孔６２は、節水コマ６の下流側端面から軸方向の適宜の中間位置まで円周状に穿設される円環状通水孔部６２ａと、上流側端面に連結部６９を残して設けられ且つ円環状通水孔部６２ａに連通して穿設される円弧周状通水孔部６２ｂとから成る。【００９３】
このように、節水コマ６に設けられた吐水孔６２から吐出する水は、シャワー状でなく略円筒状乃至略円錐筒状を成し、吐出水がまるで 円柱状乃至円錐状の水柱のように見え、実際よりも量が多く感じられ、また白濁しないので透明感があって美麗に見える。【００９４】
図１６（ａ）〜（ｃ）に示す節水器具Ａは、節水コマ６に貫穿される吐水孔６２の外端面の形状が、略波円周状に成っている。即ち、吐水孔６２は、節水コマ６の下流側端面から軸方向の適宜の中間位置まで円周状に穿設される波円環状通水孔部６２ｃと、上流側端面に連結部６９ａを残して設けられ且つ波円環状通水孔部６２ｃに連通して穿設される波円弧周状通水孔部６２ｄとから成る。【００９５】
このように、節水コマ６に設けられた波円環状の吐水孔６２から噴出する水は、シャワー状でなく略円筒状または波円筒状を成し、まるで円柱状または波円柱状の水柱のように見え、実際よりも量が多く感じられ、また白濁しないので透明感があって美麗に見える。【００９６】
図１７〜図２０に示す節水器具Ａは、吐水手段の外端面に特徴を有する。なお、節水器具Ａとして取付カバー２と、水密用パッキン３と、減圧コマ４と、スペーサパッキン５と、節水コマ６とを備えたものを例示する。【００９７】
図１７（ａ）および（ｂ）に示す節水器具Ａの節水コマ（吐水手段）６は、上流側端面から下流側端面に亘って貫穿されて成る吐水孔６２が設けられ、しかも、下流側端面即ち外端面６４が上流側に向かって凹面状に形成されている。この吐水手段６の凹面状に湾曲した外端面６４の成す縦断面形状が、サイクロイド曲線状を成すようにするのが好ましい。【００９８】
かかる節水器具Ａを取り付けた給水口の給水栓を閉止して放水を停止した後には、吐水手段６の外端面に付着して残存した水滴が、蒸発する以前に吐水手段６の湾曲した外端面６４を伝って外端周縁に向かって迅速に流れ、この外端周縁から滴下する。このように、水が外端周縁から滴下することにより、給水中に含まれる異物や不純物等の成分が吐水手段の外端面等に堆積することを抑制できる。【００９９】
また、吐水孔６２から噴射される水は、吐水孔６２の内側が先に外端面６４から開放されるので、放水が末広がりに成るのを防止できる。【０１００】
図１８（ａ）および（ｂ）に示す節水器具Ａの吐水手段６は、上流側端面から下流側端面に亘って貫穿されて成る吐水孔６２が設けられ、外端面６４が凹面状に形成されている。この外端面６４の凹面は、吐水手段６の外端面６４の中心から偏心または非対称に形成されている。【０１０１】
このように、吐水手段６の外端面６４が偏心した凹面状に形成されているので、かかる節水器具Ａを取り付けた給水口の給水栓を閉止して放水を停止した後には、吐水手段６の外端面に付着して残存した水滴が、偏心して凹面状に形成されている吐水手段６の外端面６４によって、蒸発する以前に吐水手段６の一方の外端周縁に向かって迅速に流れ、この一外端周縁から滴下する。このように一方の外端周縁から滴下する構成としたことにより、給水中に含まれる異物や不純物等の成分が吐水手段の外端面等に堆積することを抑制できる。【０１０２】
また、吐水孔６２から噴射される水が、その内側が先に外端面６４から開放されるので、放水が末広がりに成るのを防止できる。【０１０３】
図１９（ａ）および（ｂ）に示す節水器具Ａの吐水手段６の外端面６４は、凸面状に形成されている。吐水手段６は、上流側端面から下流側端面（外端面）６４に亘って貫穿されて成る吐水孔６２が設けられ、外端面６４が下流側に向かって凸面状に形成される。【０１０４】
従って、かかる節水器具Ａを取り付けた給水口の給水栓を閉止して放水を停止した後には、吐水手段６の外端面に付着して残存した水滴が、蒸発する以前に吐水手段６の外端中央に向かって迅速に流れ、この外端中央から滴下する。従って、給水中に含まれる異物や不純物等の成分が吐水手段の外端面等に堆積することを抑制できる。【０１０５】
また、吐水孔６２から吐出される水が、この吐水の外側が先に外端面から開放されるので、放水を末広がりにすることができる。【０１０６】
図２０（ａ）および（ｂ）に示す節水器具Ａは、吐水手段としての節水コマ６の下流側端面（外端面）６４は、吐水孔６２部分のみそれぞれ凸設部６４ａが設けられている。即ち、節水コマ６は、上流側端面から外端面６４にわたって貫穿されて成る吐水孔６２が設けられ、外端面上の上記吐水孔６２が設けられた周辺部位のみ下流側に向かって凸設部６４ａが凸状に形成されている。【０１０７】
節水コマ６の凸状に湾曲した外端面上における吐水孔６２の周辺部位の成す縦断面が、サイクロイド曲線状を成すようにするのが好ましい。【０１０８】
従って、かかる節水器具Ａを取り付けた給水口の給水栓を閉止して放水を停止した後に、吐水手段即ち節水コマ６の外端面６４ａに付着して残存した水滴が、蒸発する以前に節水コマ６の外端面の吐水孔６２周辺部位から迅速に滴下するようにしたことにより、節水コマ６における外端面の凸状部６４ａ以外の部分に水が広がらず、給水中に含まれる異物や不純物等の成分が節水コマ６の外端面６４等に堆積することを抑制する。【０１０９】
本発明は、前記実施の形態に限定されるものではない。例えば、前記それぞれの実施の形態では、各構成部材が別部材から成る場合を例示したが、図２１に示すように、例えばレーザ加工を利用した造形処理により、単体の部材から一体に形成したものであってもよい。なお、図２１において、図３に示した部材と同一機能を有する部分には、同一符号を付して説明を省略する。
【図１】
2009044703.tif 000003
【図２】
2009044703.tif 000004
【図３】
2009044703.tif 000005
【図４】
2009044703.tif 000006
【図５】
2009044703.tif 000007
【図６】
2009044703.tif 000008
【図７】
2009044703.tif 000009
【図８】
2009044703.tif 000010
【図９】
2009044703.tif 000011
【図１０】
2009044703.tif 000012
【図１１】
2009044703.tif 000013
【図１２】
2009044703.tif 000014
【図１３】
2009044703.tif 000015
【図１４】
2009044703.tif 000016
【図１５】
2009044703.tif 000017
【図１６】
2009044703.tif 000018
【図１７】
2009044703.tif 000019
【図１８】
2009044703.tif 000020
【図１９】
2009044703.tif 000021
【図２０】
2009044703.tif 000022
【図２１】
2009044703.tif 000023
【国際調査報告】
2009044703.tif 000024
2009044703.tif 000025
2009044703.tif 000026
2009044703.tif 000027